(57)【特許請求の範囲】
【請求項１】
冷却移送ホースを構成する方法であって、
インナーホースおよびアウターホースと、前記インナーホースおよび前記アウターホース間における圧縮された繊維質または多孔性の材料と、前記インナーホースの末端部分における内部連結フランジと、前記アウターホースの末端部分における外部連結フランジとを各々が有する、第１および第２のセグメントを設けるステップと、
前記第１および第２のセグメントの２つの前記連結フランジを相互接続するステップであって、２つの前記連結フランジの位置において、２つの前記連結フランジが軸方向に分離することを防止するため、前記内部連結フランジと前記外部連結フランジとを相互接続するスペーサ部材が設けられ、前記スペーサ部材は断熱材で作成されている、２つの前記連結フランジを相互接続するステップと、
相互接続の後に、前記第１および第２のセグメントにおいて前記繊維質または多孔性の材料の前記気圧を高めるステップと、
を具備する方法。
【請求項２】
第１のホースを設けるステップと、
前記第１のホースを囲んで繊維質または多孔性の材料を設けるステップと、
前記繊維質または多孔性の材料の周りに気密フィルムを設け、前記第１のホースを囲んで、気密カバー内に前記フィルムを設置するステップと、
圧縮によって前記繊維質または多孔性の材料の直径を削減するための前記気密カバーから空気を除去するステップと、
前記第１のホースと、前記圧縮された繊維質または多孔性の材料と、前記繊維質材と、を減圧圧力において前記アウターホースに設置するステップと、
膨張を可能にするために、前記繊維質または多孔性の材料の気圧を高めるステップと、
それらの間に圧縮された繊維質または多孔性の材料を有する同軸の前記インナーホースおよび前記アウターホースに形成された前記ホースセグメントを結合するステップと、
を具備する請求項１に記載の方法。
【請求項３】
請求項１または請求項２に記載の方法によって炭化水素のための冷却移送ホースを構成する方法であって、前記冷却移送ホースは、
インナーホースと、
同心円をなして前記インナーホースを囲んで配置されているアウターホースと、
前記インナーおよびアウターホース間の環状ギャップを埋めているスペーサ部材と、
前記環状ギャップ内に含まれている繊維の３次元マトリックスを形成する繊維質断熱材と、を具備し、
前記アウターホースはゴム弾性および／またはプラスチック材料を有し、
前記繊維質材は、前記インナーおよびアウターホースを持つホースの大部分全体を通して連続しており、スペーサ部材を形成していることを特徴とする、
冷却移送ホースを構成する方法。
【請求項４】
少なくとも長さ０．４ｍ以上で、繊維質材以外のスペーサ部材は、前記インナーホース上の接触位置から前記アウターホース上の接触位置まで放射状に延在する、請求項３に記載の冷却移送ホースを構成する方法。
【請求項５】
前記繊維質材は、長さ方向に高密度および低密度の繊維質材の領域があるように、前記インナーホースに沿って不均一に分散されている、請求項３または請求項４に記載の冷却移送ホースを構成する方法。
【請求項６】
前記繊維質材は、異なる密度および特性の繊維質材を具備する、請求項３または請求項４に記載の冷却移送ホースを構成する方法。
【請求項７】
柔軟な繊維質材は、高密度の硬い繊維質材の間に置かれる、請求項１ないし請求項６のいずれか1項に記載の冷却移送ホースを構成する方法。
【請求項８】
前記繊維質材は、前記インナーホース上において５から５０ｋＮ／ｍの間の力で１％から１０％の間まで半径方向において弾性的に圧縮可能である、請求項１ないし請求項７のいずれか1項に記載の冷却移送ホースを構成する方法。
【請求項９】
前記繊維質材は、少なくとも１０％まで前記ホースの長さ方向において弾性的に伸長可能である、請求項１ないし請求項８のいずれか1項に記載の冷却移送ホースを構成する方法。
【請求項１０】
前記繊維質材は、少なくとも長さ０．４ｍ以上を持ち、密度７０ｋｇ．ｍ−３で、開口部体積(an open volume)９３％である、請求項１ないし請求項９のいずれか1項に記載の冷却移送ホースを構成する方法。
【請求項１１】
前記アウターホースは、前記インナーホースの直径の４倍の曲げ半径を有する、請求項１ないし請求項１０のいずれか1項に記載の冷却移送ホースを構成する方法。
【請求項１２】
前記アウターホースは、０．２から１．０Ｗｍ−１Ｋ−１の間の熱伝達率を有する、請求項１ないし請求項１１のいずれか1項に記載の冷却移送ホースを構成する方法。
【請求項１３】
前記繊維質材は、前記アウターホースと前記材料との間の気密層によって囲まれている、請求項１ないし請求項１２のいずれか1項に記載の冷却移送ホースを構成する方法。
【請求項１４】
前記繊維質材はフリース材を具備する、請求項１ないし請求項１３のいずれか1項に記載の冷却移送ホースを構成する方法。
【請求項１５】
前記繊維質材はフリースおよびフェルト材を具備する、請求項１ないし請求項１４のいずれか1項に記載の冷却移送ホースを構成する方法。
【請求項１６】
前記アウターホースは、繊維および／または金属で補強されたゴム弾性および／またはプラスチックの材料を具備する、請求項１ないし請求項１５のいずれか1項に記載の冷却移送ホースを構成する方法。
【請求項１７】
前記インナーホースは、らせん状に巻かれた補強材ワイヤ、および／または波形のスチールパイプを具備する、請求項１ないし請求項１６のいずれか1項に記載の冷却移送ホースを構成する方法。
【請求項１８】
前記インナーおよびアウターホース間の前記圧力は、前記アウターホース外側の前記圧力と実質上等しい、請求項１ないし請求項１７のいずれか1項に記載の冷却移送ホースを構成する方法。
【請求項１９】
前記繊維質材は、前記インナーホースを囲んで巻かれているストリップ状の繊維質シート材を具備する、請求項１ないし請求項１８のいずれか1項に記載の冷却移送ホースを構成する方法。
【発明の詳細な説明】
【技術分野】
【０００１】
本発明は、インナーホースと、インナーホースの周りに同心円をなして配置されているアウターホースと、インナーホースとアウターホースとの間の環状ギャップを埋めているスペーサ部材と、を有する炭化水素のための冷却移送ホースに関連し、繊維質断熱材は、環状ギャップに有される繊維の３次元マトリックスを形成する。本発明は、このような冷却移送ホースに用いられる繊維質断熱材および断熱された冷却移送ホースを組み立てる方法にも関連する。
【背景技術】
【０００２】
上述したタイプの冷却移送ホースは、ＵＳ特許番号６，１８６，１８１から知られている。
【０００３】
米国特許番号６，１８６，１８１は、Ａｌｃａｔｅｌの名義で、およそ−１６０℃の温度における低温炭化水素の移送のための柔軟なパイプを開示しており、このパイプは、内部および外部の金属チューブとの間に断熱材と共に、内部の波形の金属チューブと、インナーチューブおよびスペーサから同じ距離離れて置かれている外部の波形の金属チューブと、を有する。スペーサは、インナーチューブに適用されて、反対方向に包まれている、繊維で補強されたプラスチックから作られている２本のコードを有する。波形の金属のインナーおよびアウターチューブ間のリング状のギャップには、１０−３から１０−１ミリバールの間の真空圧が作り出されている。ギャップ内の断熱材は、繊維の３次元マトリックスを備えるフリース材によって形成されている。フリース材は、そのようなフリース材は低い熱伝導性（優れた断熱材）と、２つの金属波形チューブ間のギャップに迅速な真空を作り出すことができることを併せもつので、固体の断熱材または多層圧縮材の代わりに用いられる。真空状態を作り出すことは、高伝導性の内部が波形の金属チューブから、高伝導性で外部が波形の金属チューブを最適に分離(isolate)するので、ギャップの真空状態を作り出すことまたは一定の気圧に保たれていることは、ギャップにおける超真空断熱材の使用を超えていることが好ましい。
【０００４】
ＬＮＧ移送のために外部の金属波形チューブ内の真空を用いることは、真空の損失が起きたときおよび／またはアウターチューブにある隣接した波形らせん状ストリップの溶接部にある隙間または亀裂から水が浸入したとき、潜在的な危険状態を作り出すだろう。これらのタイプの波形チューブは、静的環境において空気中のホースとして用いられるときは許容できるが、溶接部にある隙間または（微小の）亀裂において海水が浸入する危険性があるため、空気中の沖合の環境において、浮動または水中に沈んだＬＮＧ移送ホースとして用いられるときは危険である。特に、動的で湿った沖合の環境においては、アウターチューブは、風、波およびホースが取り付けられている浮動構造物の動きによって、絶えず折れ曲がったり、伸長力を受けたりしやすく、溶接部に小さな亀裂および真空の損失を容易にもたらす。波形のインナーおよびアウターチューブを持つＬＮＧ移送システムの曲げ半径はその上比較的大きく、うねり(wave)に応じないので、チューブが過度に伸張することによってアウターチューブの永久変形をもたらす状況と、外部波形チューブにおいて隙間または亀裂を作り出す状況とを避けるために、常に制御および制限されるべきである。
【０００５】
米国特許番号６，１８９，１８１の、連続したＬＮＧ移送システムの欠点は、連続的に作られたインナーまたはアウター金属波形チューブに局所的な亀裂ができた場合、完全なシステムは、解体され、さらに完全に新しいＬＮＧ移送システムと置き換えられる必要があるので、非常にコストがかかり、時間を消費する作業である。
【０００６】
したがって、動的な海洋で用いられることができて、常にあらゆる海水の浸入から保護され、小さな曲げ半径を有し、システムにおいて容易なメンテナンスと修復活動を促す柔軟なＬＮＧ移送システムが必要である。
【先行技術文献】
【特許文献】
【０００７】
【特許文献１】米国特許番号６，１８６，１８１
【特許文献２】ＵＳ３，８０９，１２９
【特許文献３】ＵＳ４，４１７，６０３
【特許文献４】ＷＯ  ０１／９６７７２
【特許文献５】米国特許番号６，７７９，３６８
【発明の概要】
【０００８】
本発明の目的は、風と波によって動く環境にある海において、空気中で用いられるような、好ましくは、浮動または水中に沈んだ冷却移送ホースとして、動的な海洋の環境で用いられることができる冷却移送ホースを提供することである。
【０００９】
本発明のさらなる目的は、容易に製造され、操作において確かであり、容易に修復または交換されうる冷却移送ホースを提供することである。
【００１０】
さらなる本発明の目的は、インナーおよびアウターホースが迅速かつ正確に並べられ、長さを容易に調節されることが可能な冷却移送ホースを構成（すなわち、製造および／または修復）する方法を提供することである。
【００１１】
これに関して、本発明による移送ホースは、アウターホースがゴム弾性またはプラスチックの材料を有していることを特徴とし、繊維質材は、インナーおよびアウターホースと連続するホースの長さの少なくとも一部以上であり、スペーサ部材を形成する。
【００１２】
本発明による移送ホースは、様々な密度のエリアがインナーホースの長さ全体に作り出されるように、繊維質材がインナーホースに沿って加えられうるということも特徴とする。
【００１３】
さらに、本発明による移送ホースは、様々なスペーサ特性を持つホースの長さ全体のエリアを作り出すように、様々なタイプの繊維質材が併せられうるということも特徴とする。
【００１４】
繊維質材は、インナーチューブからアウターチューブまで放射状に延在し、インナーチューブに関して実質上一定の放射状の位置においてアウターチューブを支持する。繊維質材は、インナーチューブの周りに容易に適用され、アウターホース内に設置される。インナーおよびアウターホース間のスペースが繊維質材で伏せ縫いれると、２つのホース間の空気対流は最小限にされるかまたは避けられる。繊維質材は、環境による伸長またはたわみに適用するように伸張することができ、インナーおよびアウターホースに呼応するシフト(a relative shift)が、使用の際の熱による収縮および膨張に従うことを可能にする。繊維質材は、アウターホースに及ぼされている半径方向力を吸収することができ、スペーサ部材として機能するように圧縮に対する抵抗力を提供する。ゴム弾性またはプラスチックのアウターホースと繊維質材との組み合わせは、非常に柔軟で比較的小さな曲げ半径である冷却ホースを提供し、アウターホースの曲げ半径はインナーホースの直径の４倍と等しい。アウターホースは、頑丈で、水の浸入、機械的衝撃に耐え、非常に断熱している。さらに、断熱する目的のために環状スペース内で真空を用いることは、アウターホースのゴム弾性またはプラスチック材と繊維質断熱材との組み合わせによって避けられる。
【００１５】
繊維質材に加えて他のスペーサ部材が提供されたとしても、好適な実施形態において、繊維質材以外、少なくとも４０ｃｍの長さ以上の他の部材しかインナーホース上の接触位置からアウターホース上の接触位置まで放射状に延在しない。繊維質材の３次元マトリックスは、単独で半径方向圧縮に抵抗して十分な抵抗力を提供するので、同心円をなすホースの長さに沿ってスペーサを用いることは減らされ、スペーサの位置におけるインナーチューブへの熱移動は最小限に維持される。付加的なスペーサが必要である場合は、圧縮可能なフリース材の上部に、互いに一定の距離を置いて加えられる。スペーサは、スペーサはあらゆる材料から作られうるが、非常にコンパクトなフリースまたはより好ましくはフェルト材のような、高い断熱力を有するコンパクトな繊維質材から作られるのが好ましい。
【００１６】
適切な繊維質材は、ホースの長さ方向において少なくとも１０％まで弾性的に伸長可能である。３次元マトリックスにおける繊維の相互繊維結合(the inter fibre bonding)は、常時および破壊的な伸長に耐えるために比較的強くなければならない。
【００１７】
“弾性的”とは、繊維質材は、永久変形することなく変形していない状態に戻ることができることを意味する。繊維質材の弾性スペーサ特性は、繊維質層によって提供されており、この繊維質層は、アウターホースが固定された位置に留められているとき、ホースの半径方向において、５〜５０ｋＮ／ｍの間にあるインナーホース上の力の１％〜１０％の間まで弾性的に圧縮可能である。
【００１８】
繊維質材は、比較的多量の断熱する空気(insulating air)が繊維間でせき止められるように、密度７０ｋｇ．ｍ−３および９３％のオープンボリューム(open volume)を持つのが好ましい。繊維質材を包んで、インナーホースの複数の層において全体に均等に分布させることが可能である。同様の繊維質材をさらに加えることによって、層はより圧縮され硬くなる。インナーホースに沿った局所的なエリアに、呼応する硬いスペーサエリアを作り出すために同様の繊維質シート材の追加の層を加えることも可能である。これは、例えば異なる包装手段を用いることによっても成し遂げられる。代替として、様々な繊維質材がインナーホースに併せられ、例えば、フリース材の複数の層は、優れた断熱材を持つ必要があるエリアにおいてのみ用いられ、フリース材よりも非常に密集したフェルト材は、アウターホースに対するインナーホースのねじれを制御するエリアにおいて用いられる。
【００１９】
本発明によるホースは、頑丈かつ柔軟である。アウターホースの曲げ半径はインナーホースの直径の４倍である。アウターホースは、柔軟性と、０．１〜１０Ｗｍ−１Ｋ−１の間、好ましくは０．１〜１Ｗｍ−１Ｋ−１の間の熱伝達率を持つような断熱材との両方を提供する。
【００２０】
繊維質材は、アウターホースと繊維質材との間にある気密バッグ、シリンダまたは層によって囲まれている。このことによって、そのうえに繊維質層を巻かれているインナーホースの挿入の際、繊維質層は、気密層の排出によって圧縮され、削減された直径においてインナーホース内に挿入される。気密層においてかかる圧力を除去することによって、繊維質層は膨張し、インナーホースおよびアウターホース間の環状ギャップを満たす。加えられる場合、例えば、コンパクトなフェルト材から作られているリング状のスペーサは、インナーホースに沿って一定の間隔をあけられている繊維質フリース材上部に加えられるか、繊維質フリース材内部に置かれるか、または繊維質フリース材の下に置かれ、気密バッグは繊維質材およびスペーサ全体に加えられる。代替として、スペーサは繊維質材を囲んでいる気密バッグの上部に加えられる。
【００２１】
優れた機械的強度、弾性伸び特性および断熱力を持つ好適な繊維質材は、フリース材を有する。フリース材は、インナーホースの周りに巻かれているストリップ状の繊維質シート材である。
【００２２】
アウターホースは、大きな柔軟性、衝撃抵抗および水密およびガス密を持つように、繊維および／または金属で補強された弾性および／またはプラスチック材を有するのが好ましい。アウターホースは、海水、起こりうる衝撃などからインナーホースを保護し、例えば３ｃｍ〜１５ｃｍの間の厚さの厚い壁を持つ、複合の、ゴム弾性またはプラスチック材で作られている標準的な浮遊油をオフロードするホースになりうる。低い熱伝達率を持つアウターホースは、内部の柔軟な導管とその周囲環境との間に遮熱層もまた形成する。インナーホースは、多層複合ワイヤ補強ホース、波形スチール柔軟パイプ、スムーズボア(smooth bore)冷却ホースなどの、低温液体を移送するのに適切なあらゆるタイプのホースでありうる。インナーおよびアウターホース間の圧力は、アウターホースの外側の圧力と実質上等しい。
【００２３】
本発明の繊維質最小熱損失スペーサ手段(the fibrous minimum heat loss spacer means)は、ホースに対する異なる縦方向の熱収縮に適用させている間、全管類の柔軟性を下げることなく、放射状に空間をあけられた関係性でインナーおよびアウターフレキシブルホースを維持する。繊維質最小熱損失スペーサは、フェルト材のようなより密集した繊維質材で好ましくは作られている付加的なスペーサと併せることができる。アウターフレキシブルホースは、低い熱伝導率を持つ、複合の、ゴム弾性またはプラスチック材で作られているホースである。アウターホースは、例えばケブラーで補強されたエチルプロピレンで作られている、標準的なゴム弾性（ゴム）のホースまたはプラスチックホースである。
【００２４】
インナーフレキシブルチューブは、例えば、内部および外部のらせん状に巻かれているワイヤ間に配置されている柔軟な多層ホースを示しているＢＨＰ  Ｐｅｔｒｏｌｅｕｍの名義によるＷＯ  ０１／９６７７２で開示されているようなタイプの、ＬＮＧ移送ホースであるのが好ましい。このホースは、低温流体の内圧に対して無感覚（die）になる多層ホースの伸長に耐える、組みひも、ネット、メリヤス編みなどの付加的なアウターチューブを備えられうる。代替として、インナーフレキシブルホースは、付加的な（繊維）強化層を備える、米国特許番号６，１８９，１８１で述べられているような波形パイプでありうるか、またはインナーフレキシブルホースは、フッ素化エチレンプロピレン（ＦＥＰ）チューブで作られているスムーズボア冷却移送ホースホースでありうる。
【００２５】
柔軟なアウターホースの材料および繊維質断熱スペーサ材の３次元マトリックスは、組み立てられた全ＬＮＧ移送システムが、繰り返し折れ曲がり、動的な海上環境において何度も伸張されたとき、システムの柔軟性および正確な機能を維持されるように、共に機能する。
【００２６】
インナーホースＬＮＧ導管と、繊維ベースの断熱材と、非常に柔軟な、断熱性および保護力との、この組み合わせのため、断熱のためにチューブ間に残っている環状スペース内における複雑で傷つきやすい真空の使用は避けられる。この組み合わせは、熱の流入を最小限にし、その結果、全体の柔軟性および耐屈曲性が保証されると同時に、システムの優れた熱効率を確実にする。
【００２７】
インナーホースとゴム弾性またはプラスチックアウターホースとの間にあるギャップ内の、断熱低伝達繊維質スペーサ材は、フリース材、フィラメント、ウェビング、メッシュ、組み縄などを含む。この繊維質材の主な様態は、空気が繊維間にせき止められるとき、優れた断熱性を持つ弾性の３次元マトリックスを形成するということである。好適な繊維質材は、少なくとも従来の合成シースと同じくらい柔軟であるので、ちょうど合成材料が過去に用いられていたような配置のために、インナーチューブを囲んで包むことができる。
【００２８】
断熱繊維質スペーサ材は、織られたり、組まれたり、編み合わせられたり、格子状に(intersticed)されたり、編んで作られたりしたような織物の使用と併せられ、繊維またはセラミックの糸で作られる。ストリップ、マット、シート、環状ホース、環状メリヤス生地などの形状で作られる。結束したり、縛ったり、接着剤でつけられたりすることによって、内部ＬＮＧ導管またはアウターホースに取り付けられている繊維質材に対して個々の長さを用いることは、発明の範囲内である。例えば、断熱スペーサ材は、繊維の織物から形成されている多層材料の、連続する細いストリップから作られる。多層繊維質スペーサ材の個々のシートまたはマットは、突発的な伸長に対してストリップを統合して固定するために、コットンまたはレーヨンのような低伝達性の標準的な材料または糸で縫われたり、結束したり、らせん状に巻いたりすることによって互いに固定される。材料は非常に柔軟で伸張性があるので、材料の層は互いに固定される必要がないということも可能である。
【００２９】
アウターおよびインナーホース間にあるスペースを埋める繊維質スペーサ材の断熱シートは、所々に置かれた繊維質の層および熱反射材を有する。特定の実施形態において、繊維質スペーサ材は、金属化プラスチックシート材の箔のような１つ以上の耐摩耗性の外装を持つ一面または両面に面する。繊維質スペーサ材は、厚さ０．２ｍｍ未満の厚さを持つ１つ以上のふく射バリヤシートと併せられる。この熱ふく射反射材は、金属またはアルミホイル箔である。代替として、インナーＬＮＧホースは、反射する金属化された材料の多層に包まれている。繊維質断熱スペーサ材は、これらの金属化された材料の層に加えられるか、またはそれの周りを包む。断熱スペーサラミネート材のいくつかの層は、インナーホースまたはチューブの周りを包んでいる。
【００３０】
好適な繊維質スペーサ材の特性は、正常に伸張され、いずれの永久変形をもたらすことなく少なくとも１０％圧縮されるということである。柔軟な、空気中、浮動または水中に沈んだＬＮＧ移送ホースは、非常に動的な海上環境に置かれ、反復性の圧縮、伸長、たわみ、ねじれなどを受けやすいので、これは重要な様態である。
【００３１】
断熱スペーサ材は、ＬＮＧ移送工程において冷却している手順または温めている手順の間、インナーおよびアウターホースの伸長または収縮における相対的差異を許容することができることも必要である。
【００３２】
好適な断熱スペーサ材は、天然材料、プラスチック（ＰＥＴ）または他の合成またはセラミック材料から作られるフリースを含む。ここで‘フリース’という用語が用いられるとき、相互接続された複数の隙間を有するマット繊維、フィラメント、糸またはワイヤの緊密なボディ(a coherent body)が意図されている。フリースは、例えばアラミド繊維を用いたベロアの形状であるか、またはＰＥＴ材料から作られている。異なる層は、１つの層が互いの層に接着されずに包まれているのが好ましい。（フリースのタイプに従って、０．７〜０．８３の間の）摩擦係数のため、包まれた層が繰り返し折れ曲がり、伸張している間も、包まれた層は強い結合力を持つ。
【００３３】
フリースは、機械的強度と併せて小さな熱伝導性を有するので、非常に優れた断熱スペーサ材である。フリースは、およそ１０ミクロン未満の直径を有する背に空構成されているのが好ましい。
【００３４】
フリースは、例えば米国特許番号６，７７９，３６８で開示されているフリースのような、改良された動的な断熱性を有する２重のベロアでありうる。
【００３５】
フリース材が、フリース材自体に不利に作用するかまたはインナーおよび／またはアウターホースに不利に作用するときに静電気の増加を避けるための既知の特有な処理法を有するフリース材を用いることも可能である。
【００３６】
フリース材は、同軸のホースのギャップ内に置かれたとき、少なくとも１０％伸張され、いずれの永久変形または伸長なしに、ホースの長さ方向において圧縮可能である。
【００３７】
本発明に従ったフリースは、半径方向において一定の最小強度を持つように作られているので、ギャップ内に置かれたとき、インナーチューブおよびアウターホースの様々な縦方向の熱収縮に適用させると同時に、放射状に空間をあけられた関係性でインナーチューブおよびアウターフレキシブルホースを維持する。フリースは、インナーチューブ、アウターホース、または両方と、ポイントワイズ(point-wise)で接触している。繊維は、ホースの長さ方向に、すなわち断熱スペース全体に及ぶ熱の流入の方向に対して垂直に、実質上適応されている。フリース材が持つこれらの能力のため、インナーチューブおよびアウターホース間の温度ブリッジとして機能するいずれかの付加的なスペーサの使用を少なくとも０．４０ｍ以上避けられる。スペーサが加えられる必要があるとき、フェルト材のような高い断熱力を持つ、コンパクトで柔軟性の僅かな繊維質材で作られたスペーサが一定の間隔でフリース材の上部に加えられる。繊維質材以外のスペーサ部材はインナーホース上の接触位置からアウターホース上の接触位置まで放射状に延在する。
【００３８】
断熱スペーサ材のいくつかの層は、インナーホースまたはインナーホースをカバーしている組みひもの周りを包んでいる。各スペーサ層は、インナーホースの軸に対して例えば４５度未満の角度で包まれているので、各層の方向の差異は９０度である。スペーサ材（繊維、製造方法、能力など）の特性に依存して、層を包む様々な角度および様々な数が適用される。
【００３９】
本発明による同軸のインナーおよびアウター冷却移送ホースは、繊維質スペーサ材の開いた多孔性構造を考慮して、以下のステップによって構成される。
【００４０】
第１のホースを設けるステップと、
上記第１のホースを囲んで繊維質または多孔性または断熱の材料を設けるステップと、
上記繊維質または多孔性の材料の周りに気密フィルムを設け、上記第１のホースを囲んで、気密の状態で上記フィルムを設置するステップと、
圧縮によって上記繊維質または多孔性の材料の直径を削減するための上記気密カバーから空気を除去するステップと、
上記第１のホースと、上記圧縮された繊維質材と、上記繊維質材と、を減圧圧力において上記アウターホースに設置するステップと、
膨張を可能にするために、上記繊維質または多孔性の材料の気圧を高めるステップ。
【００４１】
チューブは、一度全てのセグメントが接続され、繊維質断熱材がインナーおよびアウターホース間のギャップを満たされたとしても、インナーホースから漏れたあらゆるガスを取り除くために空気または不活性ガスを用いてギャップの通路をパージする可能性があるような方法で組み立てられる。代替として、ギャップの通路は、１０バールの圧力のＬＮＧを含むインナーホースからのあらゆるガス漏れを避けるために、空気または不活性ガスを用いて過剰加圧（１５ないし２５バール）される。
【００４２】
インナーホースが、組みひもを備えた多層複合インナーホースである場合、フリース材の包まれた層は、せき止められた多量の空気を取り囲み、さらに、包まれたフリース層を持つインナーホースは、比較的大きな直径を持つので、アウターゴム弾性ホース内には設置されない。インナーチューブをアウターホース内に加えるために、薄いプラスチックのホース状バッグまたは管状シートは、包まれたフリース層と共にインナーチューブ全体に引かれ、薄いプラスチックホースは閉じられる。真空は、せき止められた空気をフリース材から取り除くようにこのプラスチックホースに適用される。加えられたこの真空の結果、全径は、包まれたフリース層を持つインナーチューブがアウター保護ホース内に同軸上で挿入されるように縮小する。インナーチューブおよびアウターホースのフランジ端部が一直線に並べられ（さらにひとつに結合され）ると、真空は取り除かれ、フリース材は空気をギャップ内に吸収し、フリース材自体が膨張することによって、インナーチューブおよびアウターホース間に、一定の距離を置いてフリース材自体を固定する。
【００４３】
例えば繊維質フェルト材で作られている付加的なスペーサは、包まれたフリース層の上部、内部または下部に一定の間隔で設置される。付加的なスペーサは、薄いプラスチックのホース状バッグが全体に置かれるようにアウターホースの内径よりも小さい外径を持ち、真空は、フリース材の全径を縮小するように加えられる。代替として、最初に、薄いプラスチックのホース状バッグが、包まれたフリース層全体に設置され、その後、フェルトスペーサが、ホース状バッグの上部に一定の間隔で加えられ、局所的に全径の直径を縮小する。真空は、せき止められた空気をフリース材から取り除くようにこのプラスチックホースに適用される。加えられたこの真空の結果、全径は、包まれたフリース層を持つインナーチューブおよび付加的なスペーサがアウター保護ホース内に同軸上で挿入されるように縮小する。
【００４４】
インナーチューブ上に適用された繊維質スペーシング材の厚さと、その結果として生じる、併せられたインナーホースおよびスペーサの直径を縮小するように適用された真空における増加と、を適合化させることによって、環状ギャップ内の繊維質の圧縮度、およびそれによるスペーサの剛性は、固有の曲げ特性を持つ柔軟なホースを得るために変化する。
【００４５】
ＬＮＧ移送システムのための断熱スペーサとしてフリース材を用いる他の利点は、ベルクロ（登録商標）ファスナー材が、インナーチューブ、アウターホースまたは両方にフリース材のシートを取り付けるために用いられうるということである。このことは、インナーチューブおよびアウターホースに対する異なる縦方向の熱収縮に適用させている間および両方の、反復性の圧縮、伸長の間に、フリースの固定された位置を保証する。
【００４６】
ギャップ内に置かれているフリースおよび／またはフェルトのような繊維質スペーサ材を用いることによって、ＬＮＧ移送システムにある相互接続されたホースの一方の端部からもう一方の端部までギャップを経由して空気または不活性ガスを移動させることが可能である。このことによって、組み立てられたＬＮＧシステムの両端のうちの１つの端部にあるガス検知システムは、ギャップ内へのガスのＬＮＧのあらゆる漏れを迅速に検知することができる。ギャップ内にインナーホース内の液圧よりも高い加圧を生み出すことも可能なので、少しのガスもインナーホースからギャップスペース内へ漏れることはできない。
【００４７】
代替として、ギャップは、ギャップ内に一定の間隔で置かれ、ＬＮＧまたは冷たいガスがインナーチューブからギャップ内へ漏れているエリアまたは場所を示すことができる温度センサシステムに接続されている、複数の相互接続された温度センサを備えることも可能である。インナーチューブおよびアウターホースの両方とも分割されているので、漏れを含むセグメントは、連続する波形の金属アウターチューブである場合、完全な柔軟なＬＮＧ移送システムと取り替えることなく新しいセグメントによって交換されるおよび取り替えられることが可能である。
【００４８】
インナーＬＮＧ移送チューブおよびアウターホース間のギャップ内の繊維質伸張可能スペーサ材と、低い熱伝導率を持つ、複合の、ゴム弾性またはプラスチック材で作られているアウターホースと、の組み合わせは、空気対流を避け、熱の流入を最小限にし、その結果として柔軟なＬＮＧ移送システム全体のより優れた熱効率を確実にするので、ＵＳ特許番号６，１８６，１８１で開示されているＬＮＧ移送システムの場合のように、断熱の目的のためのギャップ内の気圧または真空未満である必要性を避ける。この文書で説明されている既知の同軸のホースの配置において、高い伝導性の波形のアウターチューブを経由して熱の流入を減少させるために真空が要求されている。
【００４９】
本発明は、さらに、気密フィルムおよび上記フィルムに取り付けられている繊維質層を含む冷却移送ホースに用いられる繊維質断熱材にも関連する。シート材は、管状の形状またはらせん状に巻かれたストリップのどちらかの方法において管状インナーホースの周りに巻かれ、その後、結果として、アウターホースに容易に挿入される縮小された直径を持つインナーホースになるように繊維質材を圧縮するために、空にされる。繊維質材をインナーホースに適用させる前または後に、フィルムは、繊維質材を囲んでいるシリンダを形成するようにシールされる。一実施形態において、フィルムおよび繊維質材から成るシリンダは、その底部を気密の状態で閉じられ、排出装置を取り付けるためとシリンダからの空気を除去するためとのねじまたはバルブのような取り付け部材を有する。他の実施形態において、繊維質材は、フィルムと第２のフィルムとの間に有されており、これらのフィルムは、気密の状態で共にシールされている。閉鎖可能であるエアフロー開口部(a closable airflow opening)は、フィルムの少なくとも１つに備えられている。フィルム間のスペースを空にすることによって、繊維質層は、インナーホースの周りに置かれたときに縮小された直径を持つように圧縮される。アウターホース内へインナーホースおよび圧縮された繊維質層を挿入した後、真空は取り除かれ、繊維質層は、インナーおよびアウターホース間の環状ギャップを満たすように膨張する。
【００５０】
一実施形態において、ホースは、相互接続しているフランジ端部を各々が有するいくつかのセグメントで構成されている。ホースは、インナーおよびアウターホースと、インナーおよびアウターホース間においては圧縮された繊維質材と、末端部においては接続フランジと、を有する、第１および第２のセグメントを設けることと、
第１および第２のセグメントの接続フランジを相互接続することと、
相互接続の後に、第１および第２のセグメントにおいて繊維質または多孔性の材料の気圧を高めることと、によって構成または修復される。
【００５１】
本発明による異なる実施形態のいくつかの様態は、例として添付図面を参照して説明される。
【００５２】
本発明による異なる実施形態のいくつかの様態は、例として添付図面を参照して説明される。
【図面の簡単な説明】
【００５３】
【図１】本発明による冷却移送ホースの、部分的に切り取った斜視図である。
【図２】本発明の冷却移送ホースの、縦の断面図である。
【図３】相互接続されたホースセグメントの連結を示す図である。
【図４ａ】本発明による冷却移送ホースに用いられるホースセグメントを組み立てるための連続するステップを示す図である。
【図４ｂ】本発明による冷却移送ホースに用いられるホースセグメントを組み立てるための連続するステップを示す図である。
【図４ｃ】本発明による冷却移送ホースに用いられるホースセグメントを組み立てるための連続するステップを示す図である。
【図４ｄ】本発明による冷却移送ホースに用いられるホースセグメントを組み立てるための連続するステップを示す図である。
【図４ｅ】本発明による冷却移送ホースに用いられるホースセグメントを組み立てるための連続するステップを示す図である。
【図４ｆ】本発明による冷却移送ホースに用いられるホースセグメントを組み立てるための連続するステップを示す図である。
【図４ｇ】本発明による冷却移送ホースに用いられるホースセグメントを組み立てるための連続するステップを示す図である。
【図５ａ】本発明によるスペーサとして用いられる複合断熱材の、異なる実施形態を示す図である。
【図５ｂ】本発明によるスペーサとして用いられる複合断熱材の、異なる実施形態を示す図である。
【図５ｃ】本発明によるスペーサとして用いられる複合断熱材の、異なる実施形態を示す図である。
【図６ａ】筒形のインナー冷却移送ホースに適用される複合断熱材を示す図である。
【図６ｂ】コイルでらせん状に巻かれた形状のインナー冷却移送ホースに適用される複合断熱材を示す図である。
【図７】インナーホースと、長さに沿って分散されているいくつかの温度センサを有する断熱スペーサ材と、を示す図である。
【図８】インナーホースと、フランジ部分の端部にガス検出システムを有する断熱スペーサ材と、を示す図である。
【図９】ホースの長さ方向に方向づけられている大多数の繊維を有する繊維質断熱スペーサ材を示す図である。
【図１０】付加的なスペーサ要素を有する冷却移送ホースを示す図である。
【図１１】本発明による冷却移送ホースを用いる、ＬＮＧ移送システムの概要図である。
【図１２ａ】本発明に従ったホースインホース(a hose-in-hose)の冷却移送組み立ての、縦断面図である。
【図１２ｂ】本発明に従ったホースインホースの冷却移送組み立ての、線ＡＡに沿った横断面図である。
【図１２ｃ】本発明に従ったホースインホースの冷却移送組み立ての、平面図である。
【図１３】実施形態の縦断面図であり、インナーホースの接続フランジは、アウターホースの接続フランジに結合している。
【図１４】実施形態の縦断面図であり、インナーホースの接続フランジは、アウターホースの接続フランジに結合している。
【図１５】実施形態の縦断面図であり、インナーホースの接続フランジは、アウターホースの接続フランジに結合している。
【図１６ａ】アウターホースに関して長さ方向に移動可能なインナーホースの、縦断面図である。
【図１６ｂ】アウターホースに関して長さ方向に移動可能なインナーホースの、平面図である。
【図１７ａ】実施形態の縦断面図であり、スペーサはインナーホースのフランジの周りに構成されている。
【図１７ｂ】実施形態の平面図であり、スペーサはインナーホースのフランジの周りに構成されている。
【図１８ａ】実施形態の縦断面図であり、インナーホースはスライド可能な接続部材を有する。
【図１８ｂ】実施形態の平面図であり、インナーホースはスライド可能な接続部材を有する。
【図１９】シーリングじゃばらを有するインナーホースのスライド接続部材の、縦断面図である。
【図２０】いくつかのフェースシールを有するインナーホースのクランプ接続部材の、縦断面図である。
【図２１】伸長可能なように、アウターホース内で湾曲した軌道に沿って延在しているインナーホースの、模式的な縦断面図である。
【図２２】アウターホースの周囲環境との均一な接触を可能にするために、従って、十分な柔軟性を維持するための周囲環境によって冷たいアウターホースの均一な加熱のために、少し離れている本発明のアウターホースに取り付けられている浮力モジュールの種々の構造を示す図である。
【図２３】アウターホースの周囲環境との均一な接触を可能にするために、従って、十分な柔軟性を維持するための周囲環境によって冷たいアウターホースの均一な加熱のために、少し離れている本発明のアウターホースに取り付けられている浮力モジュールの種々の構造を示す図である。
【発明を実施するための形態】
【００５４】
図１は、冷却移送ホース３の２つの相互接続された冷却移送ホースセグメント１，２を示している。各ホースセグメントは、液体不浸透性層７の内側および外側のそれぞれを支持する内部および外部のらせん状のワイヤ５，６を持つ、内部を波形またはらせん状のワイヤで補強された金属ホース４を有する。インナーホースには、移送されている液体の圧力に起因するインナーホースの伸長に抵抗(fight)し、制限するための管状の組みひも（図示されていない）を備えることができる。インナーホース４の周りには、インナーホース４から離れてゴム弾性またはプラスチックのアウターホース８が設置されている。アウターホース８とインナーホース４との間にある環状ギャップ９内には、繊維質断熱スペーサ材層１１が設置されており、これはインナーホース４の外周囲とアウターホース８の内周囲と接触関係に位置している。繊維質層１１は、アウターホース８のたわみによる圧縮、または熱による伸張と、ホース４，８の膨張および収縮によって引き起こされる圧力と、に抵抗して、さらにインナーホース４がアウターホース８に接触するのを防ぐスペーサ部材を形成する。
【００５５】
インナーホース４のセグメントは、内部連結フランジ１２によって相互接続されているのに対して、アウターホースのセグメントは外部連結フランジ１３によって接続されている。連結フランジ１２，１３の位置において、スペーサリング１４は、フランジ１２，１３が軸方向に分離することを防ぐために、環状スペース９を埋めて、フランジ１２，１３を相互接続する。フランジ１２，１３の、軸方向におけるこのような分離は、ホースセグメント１、２の交換または修理の際に望ましくなく、内連結フランジ１２は、外部連結フランジ１３を取り外した後に常に接触可能でなければならない。
【００５６】
図２から明確にわかるように、繊維質スペーサ材１１は、環状ギャップ９内をスペーサリング１４の位置まで延在している。この位置において、繊維質材１１はアウターホース８とインナーホース４との間の所定の距離を維持するためのスペーサ部材としては機能しないが、断熱材としてのみ有効である。図３からわかるように、ホースセグメント１，２の内部連結フランジ１２，１２’および外部連結フランジ１３，１３’は、ボルト１６，１７によって相互接続されている。液体を通さない密閉装置１８は、外部フランジ１３，１３’の境界面に位置している。
【００５７】
図４ａないし４ｇは、インナーおよびアウターホース間の環状ギャップ内の繊維質断熱材を用いている同軸の冷却移送ホース組み立ての製造工程における種々のステップを示している。図４ａは、繊維質フリース材６３に包まれているインナーホース６１を示している。例えばコンパクトな繊維質フェルト材で作られており、アウターホースの内径よりも小さい直径を持つ付加的なスペーサは、繊維質フリース材の上部、内部または下部に一定の間隔で設置される。連結フランジ６２，６２’は、連結のために接触可能なようにフリース材から軸方向に突出する。バルブを有する排出コネクタ６６を持つ気密スリーブ６４は、インナーホース６１の周りに設置されており（図４ｂ）、その後、排出コネクタ６６に空気ポンプを取り付けて０．９バール未満の圧力をかけることによってスリーブは空にされる（図４ｃ）。直径を縮小されたホース６１は、外部のゴム弾性および／またはプラスチックホース６５内に差し込まれ、空気は、排出コネクタ６６内のバルブによって気密スリーブ６４内に再導入される（図４ｄおよび４ｅ）。最後に、フランジ端部６７，６７’はインナーホースの周りに設置され、図４ｇに示されている同軸のホースセグメント６９を完成させるためにアウターホース６５に相互接続される。
【００５８】
図５ａは、図１ないし４に示されているような同軸の冷却ダクト構造にあるインナーおよびアウターホース４，８の位置を決めるためのスペーサ部材として用いられる、本発明による複合断熱材１９を示している。複合材１９は、層２０，２１間に包まれている繊維質材のコアマトリックス２２を囲んでいるガス密フィルム層２０，２１を有する。層２０，２１は、それらの周囲に沿って、液密シーリングエリア２３，２４内に互いに密封されている。真空ポンプのような排出装置２７に接続するために、排出コネクタ２６は、開閉バルブ部材を持つフィルム層２０に備えられている。複合材１９は、管状であるかまたはストリップ状であるかまたはインナーホースの周りに包まれるシートでありうる。インナーホースへの適用の後、空気は、複合材が圧縮されて、このホースに支持されている複合材を持つインナーホースがアウターホース内に差し込まれるように、シート２０，２１間から取り除かれる。インナーホースがその外周に達した後、圧縮された複合繊維質断熱材１９は、所望の軸上の位置にもたらされ、繊維がホース間の環状ギャップ内で膨張するように空気は排出コネクタ２６によって繊維質材のコア２２に入れられる。スペーサ部材として用いるとき、複合材１９の繊維質コア２２は環状ギャップ９を完全に満たして埋めるように膨張することが可能である。
【００５９】
図５ｂは、接着、熱接合、熱カレンダー加工、熱エンボシングなどによって繊維質層２９が接着されている一枚の不浸透性シート材層２８を有する代替の複合繊維質断熱材２７を示している。より低い高さを持つ、フェルト材のようなコンパクトな繊維質材の付加的なストリップ２９ｂは、硬い付加的なスペーサとして機能に加えられうる。シート材２８は、プラスチック層、アルミニウムまたはプラスチック（ＰＥ，ＰＰ）の複合材のような熱反射層、および金属（アルミニウム）の形をとりうる。複合材２７は、好ましくは外部に置かれている不浸透性シート２８とともに、インナーホースを囲んで管状で用いられるかまたはインナーホースを囲んでストリップ状またはマット状で用いられる。
【００６０】
図５ｃは、液体不浸透性バッキング層３１を有し、いくつかの繊維質層３２，３３，３４がラミネートされている、複合繊維質断熱材３０を示している。繊維質層３２ないし３４には、ふく射反射層が所々に置かれており、アルミニウムのような金属のシートまたはプラスチック材のラミネートおよびアルミニウムＰＥラミネートのような金属の形をとる。反射層３５，３６の使用によって、複合材３０の断熱性が高まる。
【００６１】
図６ａは、同軸上の管状の形にあるときのインナーホース４０を囲んで設置されている、図５ａの複合材１９を示す。代替として、図５ｂの複合材２７または図５ｃの複合材３０は、図５ａにある外層２０の位置において、バッキング層２８または３１を有するインナーホース４０を囲んで同様に設置されることも可能である。
【００６２】
図６ｂは、らせん状のループでインナーホース４０の周りを包んでいる複合材１９，２７または３０を示している。図５ｂまたは図５ｃに示されているようなタイプの複合材が用いられている場合、バッキングシート２８，３１は外層を形成する。
【００６３】
複合材１９，２７，３０は、同軸のインナーホース４，４０とアウターホース８との間の環状ギャップを完全に満たす必要はないが、図４ａないし４ｇに関連して以下で述べられている排出工程(the evacuation process)を用いてギャップ内に容易に差し込まれることによって、管状ギャップ内でのみ断熱材として用いられることも可能である。
【００６４】
図７は、複数の温度センサ４１，４２，４３がインナーホース４０の長さに沿って分散されている実施形態である。液化ガスがインナーホース４０内の漏れ口から漏れたとき、温度センサは温度の降下を測定する。センサ４１，４２および４３からの信号は、インナーホース４０のフランジ端部４５の近くに位置している伝達ユニット４４に供給される。温度データは、伝達ユニット４４から漏水検知ユニットに伝達され、パイプ４０に接続されている浮動構造に位置される。
【００６５】
図８に示されている実施形態において、ガス検知ユニット４７は、移送ホースにあるフランジ端部４６のエリア内に組み込まれている。ガス検知ユニット４７は、アウターホース（図示されていない）とインナーホース４０との間のスペースに接続されているポンプおよび注入チューブ４８を有する。スペーサ材の開放繊維質マトリックスによって、ガス検知ユニット４８は、相互接続されているホースセグメントの長さに沿ってインナーおよびアウターホース間の環状スペースと流体接続している。
【００６６】
図９は、インナーホース４０に設置されている繊維質材５０を示し、繊維は、コヒーレント３次元マトリックスを形成し、大多数の繊維５１の方向は実質上、ホース４０の長さ方向である。このようにして、アウターホースからの熱の流入Ｑは、繊維５０によって減少され、改良された温度断熱が成し遂げられる。
【００６７】
図１０は、冷却インナーホース５２の構造および同軸上でそれを囲む柔軟なアウターホース５３を示している。繊維質材５４は、インナーおよびアウターホース間のギャップ内に設置されている。フェルト材のような、コンパクトで少し圧縮可能な繊維質材で作られているのが好ましい付加的なスペーサ部材５５，５６，５７は、環状ギャップを埋めて、インナーおよびアウターホースに接触する。ホースの直径に従って、付加的なスペーサ部材５５，５６，５７間の距離Ｌは４０ないし１００ｃｍの間で変化し、その場合、繊維質材５４は主に断熱機能を持つ。繊維質材および付加的なスペーサの両方とも、図４ａないし４ｇに関連して上述されている排出工程によって共にギャップ内に導入されることが可能である。付加的なスペーサ５５ないし５７は、図１０に示されているようなインナーおよびアウターホース間のギャップスペースを完全に埋めること、または繊維質材５４の上部、内部または下部に設置されることが可能である（図５ｂを参照のこと）。付加的なスペーサは、インナーホースの上へ、またはインナーホースの組みひもの上部（図示されていない）にらせん状に加えられることも可能である。
【００６８】
特定の実施形態において、付加的なスペーサ部材５５ないし５７は完全に省かれ、スペーシング機能性(the spacing functionality)は、例えばコンパクトなフェルトまたはフリース材または異なる繊維質材の組み合わせの形をとる繊維質スペーサ部材５４によって完全に備えられる。
【００６９】
図１１において、例えばＬＮＧ  ＦＰＳＯ（浮動式生産、貯蔵およびオフロード）１０２のような浮動ガス液化および貯蔵プラントを有する海洋製造装置(an offshore production unit)が示されており、これは、アンカーライン(anchor lines)１０４によって海底１０３に固定されている。製造品の垂直パイプ１０５を介して、天然ガスのような炭化水素は、ＦＰＳＯ１０２で処理されるために海中の井１０６から移送される。ＦＰＳＯ１０２は、−１６１℃の温度において天然ガスをＬＮＧに冷却移送ホースおよび液化する液化プラントを有する。ＬＮＧは、この実施形態においては水中に沈んでいるが、完全にまたは部分的に空気中のホースでもあるかまたは水面に浮いている、冷却移送ホース１０７を通して、ＬＮＧがおろされるＬＮＧ輸送船の中央部または船首マニホールドへ移送される。例えば１０ｍ以上、好ましくは３ｍ以上の曲げ半径まで曲げることができるという意味では、冷却移送ホース１０７は柔軟性がある。使用していないときは、ホース１０７は、横または縦のリールで巻かれるかまたＦＰＳＯのデッキに貯蔵される。ホースは、ＬＮＧ輸送船が、ＬＮＧオフロードブイまたはＬＮＧが再ガス化され水中に沈んでいるパイプラインを介して海岸に送られる貯蔵および再ガス化装置(a Floating Storage and Regasification Unit)（ＦＳＲＵ）へ、ＬＮＧをオフロードする構造（図示されていない）にも用いられる。
【００７０】
ホース１０７は、相互接続されたセグメントで構成されており、ＬＮＧを運ぶ内部を補強されたホースと、海水の浸入からアウターホースを保護し、複合されたホースに対して機械的強度および保護を提供する、補強されたゴム弾性の材料でできたアウターホースを有する。ホース１０７は、インナーホースが破損した場合およびセグメントの試験中および輸送中の安全バリアも提供する。
【００７１】
原油の移送のための水中に沈むことが可能なホースは、ＵＳ３，８０９，１２８から知られている。この文献において、インナーおよびアウターホース間のスペース内の空気量は、ホースの浮力を調節するために選択的に制御されている。インナーおよびアウターホース間に十分なエアスペースを維持するため、さらにアウターホースが水圧によってインナーホースに陥没するのを防ぐため、らせん状のスペーサ部材はインナーホースの外表面を囲んで巻かれている。ホースセグメントは、アウターホースの端面を越えて長さ方向に突出するインナーホースにあるフランジ端部によって相互接続されている。インナーホースの接続フランジがアウターホースによって囲まれていない場合、周囲環境にさらされるので、既知のインナーホースは−１６１℃の温度を持つＬＮＧまたは−１９４℃の温度を持つ液体窒素のような低温流体を輸送するのに適していない。
【００７２】
本発明による冷却ホース１０７において、インナーホースは、少なくとも２０cmの内径を持つ。インナーホースを囲んでいるアウターホースは、少なくとも３cmの厚さの壁、少なくとも３ｍの曲げ半径、および少なくとも２５cmの内径を持つ水密補強ゴム弾性材料から成る。本発明による同軸のホース１０７は、低温流体の移送に特に適していて機械的に比較的弱いがアウターホースによって保護されているインナーホースから構成されており、自体が原油の移送に適していることが知られているホースである。ホースインホース構造は、アウターホースが、他のホース、クレーン、ＬＮＧキャリアまたはタグボートや運搬船のような他の船との衝突からインナーホースを保護し、水の浸入を防ぐので、空気中、浮動または水中に沈んだ冷却移送システムに対して改良された安全性を提供する。アウターホースは、インナーホースと比べて比較的硬いが、ブイ、タワーまたは船上の垂直または水平なホースリールに貯蔵されるかまたは使用していないとき側溝にある船のボード上に貯蔵されるほど柔軟である。
【００７３】
分割して施行することによって、ホースを所望の長さに容易に組み立てることが可能である。セグメントによってさらに、検査、メンテナンスまたは修復のためにＬＮＧ移送システムの一部を容易に海底で交換することが可能である。
【００７４】
ＵＳ４，４１７，６０３から、海上プラットホームをタンカー船に接続するための冷却移送ホースが知られており、該ホースは内面らせん状金属ばね、１／２ピッチだけ食い違った外面らせん状金属ばね、２つのばね間にある高分子物質の層を備えている。断熱層が、内部金属ホースを囲んでいる。既知の冷却ホースは、単一のパーツで構成されており、破損した場合は完全に交換される必要がある。そのうえ、冷却金属ホースは、比較的傷つきやすく、また、金属内部ホースに直接取り付けられている外側の断熱材によって効果的に保護されていない。
【００７５】
ここで“低温の（ｃｒｙｏｇｅｎｉｃ）”という用語が用いられるとき、液化ガスは、−１６２℃の温度を持つＬＮＧのように−６０℃未満の温度を意図されている。
【００７６】
ここで“柔軟な補強された壁（ｆｌｅｘｉｂｌｅ  ｒｅｉｎｆｏｒｃｅｄ  ｗａｌｌ）”という用語が用いられるとき、例えばじゃばらのような構造によってそこに柔軟性を加えられているか、またはらせん状のばねのような構造あるいはシート材の平らな壁と比べて高められた柔軟性をホースに提供する同様の壁の構造を持つ、複合または金属ホースの壁が含まれている。
【００７７】
ここで“海洋の（ｍａｒｉｎｅ）”環境という用語が用いられるとき、水面より上にあるホース、水面上に浮動しているホース、水面より下に沈んでいるホース、またはそれらのあらゆる組み合わせのホース、の位置が意図されている。
【００７８】
一実施形態において、インナーホースは、温度差があるためアウターホースに応じて、ホース全長の少なくとも０．５％まで長さ方向に伸長可能および／または伸縮性があり、インナーホースは、内部連結部材上またはその近くのアウターホースには接続されていない。移動可能なインナーホースは、ＬＮＧが移送されるときに応力が上がるのを防ぐ。ＬＮＧが移送されないとき、連結部材は、軸方向にあるインナーおよびアウターホースのために独立して一直線に並べられるので、通常の環境状態のもとでホースセグメントの組み立ておよび／または交換を容易にする。
【００７９】
補強されたインナーホースの、熱による膨張および収縮を考慮するために、内部コネクタ部材は、１つのインナーホースセグメントにはスリーブを有し、他のインナーホースセグメントにはスリーブ内またはスリーブの周りでスライド可能な管状の末端部を有している。インナーホースセグメントにあるスライドする相互接続は、ホースセグメントの長さ方向の膨張および収縮を可能にし、同時に、アウターホースに応じて置き換えられることも可能である。
【００８０】
複合または金属のじゃばらは、シーリングによって両インナーホースセグメントに接続されており、シーリングされているじゃばらは、スリーブにある末端部の両側のインナーホースの外周表面と係合している。このようにして、インナーホースセグメントのスライドする相互接続の周りに有効なシールが施される。
【００８１】
代替として、インナーホースはアウターホース内の湾曲した通路に沿って位置しているので、アウターホースに応じて例えばアウターホースの全長の０．５〜３％ほど長さ方向に膨張することが可能である。
【００８２】
さらなる実施形態において、正確に軸方向にインナーホースを並べるため、およびアウターホースに応じて規定された軸上の位置に維持するため、インナーホースの接続部材は、取り付け部材によってアウターホースの接続部材に取り付けられている。インナーおよびアウターホース間のスペースにある不凍流体、不活性ガス、空気のような、断熱材の循環を可能にするために、または断熱真空(an insulating vacuum)を作り出すため、アウターホースを好ましくは−６０℃以上の安全な温度に維持するため、インナーおよびアウターホース間のスペースを埋める取り付け部材に軸方向通路が備えられている。
【００８３】
２００ｍまでの水深における外圧に耐えるために、アウターホースには補強リングが備えられている。
【００８４】
図１２において、インナーホース１１０およびアウターホース１１１のセグメントがより詳細に示されている。インナーホース１１０は、ボルト１１８によって接続されているフランジ１１６，１１７を有する接続パーツ１１４，１１５によって相互接続されているセグメント１１２および１１３を有している。アウターホース１１１は、ボルト１２６によって接続されているフランジ１２４，１２５を有する接続パーツ１２２，１２３によって相互接続されているセグメント１２０，１２１を有している。インナーホースおよびアウターホースのセグメントは、例えば１０ｍの長さを持つが、同じ長さである必要はない。インナーホースのセグメントは例えば２０ｍの長さを持ち、一方でアウターホースのセグメントは１０ｍの長さを持ち、その逆もまた同様である。
【００８５】
アウターホースの間のスペース１２７は、２５ｃｍから１００ｃｍであるのに対して、アウターホース１１１の壁の厚さｗｏは、３ｃｍから１０ｃｍの間である。インナーホース１０の内径Ｄｉは、２０ｃｍから７０ｃｍの間であり、一方で、１１１およびインナーホース１１０の幅ｈｉは、インナーホース１１０の外表面に支持されているスペーサ部材１２８，１２９によって埋められている。スペーサ部材１３０は、内部の接続部材にあるフランジ１１６，１１７を囲んで配置されており、外部フランジ１２４，１２５に対する内部フランジ１１６，１１７の位置を固定し、同時に、インナーホース１１０の長さ方向における小さな動きを可能にする。ホース１１０，１１１の長さ方向における、不活性ガスまたは空気のようなガスの循環を可能にするために、スペーサ部材１３０には通路１３１が備えられている。
【００８６】
アウターホースの内径Ｄｏは、２ｃｍと１６ｃｍとの間を変動する。インナーホースの壁の厚さｗｉは、２ｃｍから１５ｃｍの間である。
【００８７】
インナーホース１１０は、Ｋｏｎｒａｄ  Ｆｒｉｅｄｒｉｃｈｓ、Ｆｒｉｔｚ  ＰａｐｍａｈｌおよびＨｅｒｂｅｒｔ  ＢａｃｋｈａｕｓのＯｆｆｓｈｏｒｅ  Ｔｅｃｈｎｏｌｏｇｙ  Ｃｏｎｆｅｒｅｎｃｅの３８４４（１９８０年５月５日から８日）で説明されているような柔軟な冷却波形金属ホース、または、ＵＳ特許番号４，４１７，６０３およびＷＯ０１／９６７７２で説明されているようなコイルを巻かれたクロムニッケル銅である。
【００８８】
アウターホース１１１は、例えば、Ｔｒｅｌｌｉｎｅの商品名でスウェーデンのＴｒｅｌｌｅｂｏｒｇ  ＡＢ、Ｔｒｅｌｌｅｂｏｒｇが、Ｄｕｎｌｏｐの商品名で英国のＤｕｎｌｏｐ  Ｏｉｌ  ａｎｄ  Ｍａｒｉｎｅ，  Ｎｏｒｔｈ  Ｅａｓｔ  Ｌｉｎｃｏｌｎｓｈｉｒｅが、そしてフランス・パリのＣｏｆｌｅｘｉｐ  ＳＡによって製造されている原油の移送に用いられるホースである。アウターホース１１１は、その構造および補強されたゴム弾性材料を使用しているため、インナー冷却ホース１１０よりもはるかに硬い。アウターホースは、環境的影響力からインナーホースを保護し、ロードまたはオフロードしている間、インナーホース１１０およびアウターホース１１の組み立てに影響する軸力の５０％以上、好ましくは９５％以上吸収する。
【００８９】
スペース１２７は、ゴム弾性アウターホース１１１を冷たいインナーホース１１０から遮断するのに役立ち、繊維質断熱材１１９を有する。アウターホース１１が、安全で比較的高温な状態を確実に維持されるために、空気または不活性ガスはスペース１２７内を循環され、スペース２７は、漏水検知の目的のために用いられうる。空気は、インナーホースが損傷した場合、スペース１２７内にＬＮＧが漏れるのを避けるために、移送されたＬＮＧの圧力よりもちょうど上まで加圧される。
【００９０】
インナーおよびアウターホース１１０，１１１が事実上同軸の配置を保つようにするスペーサ部材１２８，１２９は、コンパクトな繊維質で、硬質だがわずかに圧縮可能なフェルト材、またはプラスチックあるいはセラミック材のような断熱材から作られているが、泡またはジェル、または温度差によるＬＮＧ移送時の収縮のため、アウターホースに関するインナーホースの呼応する移動または置き換えを可能にするように圧縮可能である１つまたは２つの堅く巻かれたらせん状のプラスチックパイプによって交換される。このような構造は、ＵＳ３，８０９，１２８で詳しく説明されている。
【００９１】
図１２ｂに示されているように、スペーサ部材１３０は、インナーホース１１０の外径を囲んで設置されうる２つの半分(half)のシリンダから形成されている。
【００９２】
図１２ｃは、アウターホース１１１のセグメント１２０，１２１を相互接続する連結フランジ１２４，１２５にある凹所を設けられた場所を示している。
【００９３】
図１３，１４および１５の実施形態において、スペーサ部材１３０は断熱材で作られており、特にフランジの位置において、インナーホース１１０の軸および放射状の位置がアウターホースに関連して正確に決定されるように、アウターホース１１１のフランジ１２４，１２５に堅く接続されている。利点は、修復またはメンテナンスのためにアウターホースのセグメントにあるフランジが開けられる必要があるとき、インナーホースにあるフランジは動的な海洋の環境で使用中にアウターホース内で動いたり置き換えられたりすることがなく、インナーホースにあるフランジにも直接アクセスできるということである。
【００９４】
図１６ａおよび１６ｂに示されている実施形態において、インナーホース１１０は、外部フランジ１２４，１２５および内部フランジ１１６，１１７の場所においてアウターホース１１１に固定されていない。スペーサ部材１３２，１３３は、熱による膨張および収縮によって起こる応力を避けるためにインナーおよびアウターホース１１０，１１１の軸上の動きを可能にするように適合されている丸みを帯びた形状を持ち、この動きは、環状スペース１２７内の繊維質断熱材１１９によって調節されている。
【００９５】
図１７ａおよび１７ｂの実施形態において、スペーサ部材１４０は、インナーホース１１０をアウターホース１１１内に放射状に置く機能を果たすが、アウターホースセグメント１２０，１２１を軸方向に置く機能も果たす。図１７ｂに示されているように、連結リング１４１は、アウターホース１１１にある２つの斜面１４２，１４３間に挿入され、軸上のボルト１４５によって両斜面に接続される。
【００９６】
図１８ａおよび１８ｂの実施形態において、インナーホース１１０のセグメント１１２は、セグメント１１３の末端部がスライド可能に受け取られるスリーブ１４４を有する。２つのスライドする表面の間には漏れ除去フィッティング(a leakage free fitting)を確実にするためにシールが備えられている。スリーブ１４４の内部およびセグメント１１３の末端部の外部は、例えばポリプロピレンまたはテフロン（登録商標）などのスライド可能な材料でコーティングされている。
【００９７】
図１９の実施形態において、インナーホース１１０のセグメント１１２，１１３にある末端部１４７，１４８には、末端部１４７，１４８を囲んで設置され、静止したシーリングリング１５３とシーリングによって係合するためにセグメントにあるエンド開口部１５１，１５２を過ぎて延在する、シーリングじゃばら１４９，１５０が備えられている。
【００９８】
図２０の実施形態において、インナーホース１１０のセグメント１１２，１１３にある末端部１４７，１４８は、いくつかのシーリングリング１５６，１５７を介してシールによってインナーホース１１０の境界面に係合する取り付けスリーブ１５５に設置されている。取り付けスリーブ１５５のフランジ１５９は、断熱材１６０および防護外装１６１によって囲まれている。
【００９９】
図２１の実施形態において、インナーホース１１０は、（まっすぐな）アウターホース１１１内に湾曲した通路を持つことが示されており、インナーホース１１０は、スペーサ１３０，１３０’を介して、フランジ１１６，１１６’，１１７，１１７’および１２４，１２４’，１２５，１２５’の位置においてアウターホース１１１に接続されている。これによって、アウターホースに応じたインナーホースの伸長および収縮が可能である。
【０１００】
アウターホース１１１の壁１６２において、通路１６３が備えられており、スペース１２７内の、例えば空気、希ガスなどの循環のためにポンプ１６４に接続されている。
【０１０１】
図２２は、外部スペーサ部材１３３を介してフランジ１３４に取り付けられている浮力モジュール１３２を示している。図２３は、外部スペーサ部材１３５を介してアウターホース１１１に取り付けられている浮力モジュール１３６を示している。ゴム弾性および／またはプラスチックのアウターホース１１１から少し離れて浮力モジュールを設置することは、アウターホース１１１が局所的に冷えるのを避けるので、結晶相を通り抜け、（例えばゴムホースのように）もろくなる。このことは、アウターホースに対する回復不能の損傷を引き起こすであろう。周囲の水が均等にアウターホースを温めることができるような方法でフロテーションを加えることによって、局所的な冷却という問題が避けられる。均一な温度分布を可能にする浮力モジュールは、例えば時々アウターホースに取り付けられているドーナツ型の浮力モジュールなど様々な形状をとる。モジュールは、アウターホースの長さに沿って均一な水の接触を可能にするために放射状に離れて(at a radial distance from)設置される。
以下に、本願出願の当初の特許請求の範囲に記載された発明を付記する。
[条項１]
炭化水素のための冷却移送ホースであって、
インナーホースと、
同心円をなして前記インナーホースを囲んで配置されているアウターホースと、
前記インナーおよびアウターホース間の環状ギャップを埋めているスペーサ部材と、
前記環状ギャップ内に含まれている繊維の３次元マトリックスを形成する繊維質断熱材と、を具備し、
前記アウターホースはゴム弾性および／またはプラスチック材料を有し、
前記繊維質材は、前記インナーおよびアウターホースを持つホースの大部分全体を通して連続しており、スペーサ部材を形成していることを特徴とする冷却移送ホース。
[条項２]
少なくとも長さ０．４ｍ以上で、繊維質材以外のスペーサ部材は、前記インナーホース上の接触位置から前記アウターホース上の接触位置まで放射状に延在する、条項１に記載の冷却移送ホース。
[条項３]
前記繊維質材は、前記インナーホースに沿って不均一に分散されているので、長さ方向に高密度および低密度の繊維質材の領域がある、条項１または２に記載の冷却移送ホース。
[条項４]
前記繊維質材は、異なる密度および特性の繊維質材を具備する、条項１ないし条項３のいずれか1項に記載の冷却移送ホース。
[条項５]
柔軟な繊維質材は、高密度の硬い繊維質材の間に置かれる、条項１ないし条項４のいずれか1項に記載の冷却移送ホース。
[条項６]
前記繊維質材は、前記インナーホース上において５から５０ｋＮ／ｍの間の力で１％から１０％の間まで半径方向において弾性的に圧縮可能である、条項１ないし条項５のいずれか1項に記載の冷却移送ホース。
[条項７]
前記繊維質材は、少なくとも１０％まで前記ホースの長さ方向において弾性的に伸長可能である、条項１ないし条項６のいずれか1項に記載の冷却移送ホース。
[条項８]
前記繊維質材は、少なくとも長さ０．４ｍ以上を持ち、密度７０ｋｇ．ｍ−３で、オープンボリューム(an open volume)９３％である、条項１ないし条項７のいずれか1項に記載の冷却移送ホース。
[条項９]
ｃｍ３毎の前記繊維の重量％は、軸方向に適応される、条項１ないし条項８のいずれか1項に記載の冷却移送ホース。
[条項１０]
前記ホースは、前記インナーホースの直径の４倍の曲げ半径を有する、条項１ないし条項９のいずれか1項に記載の冷却移送ホース。
[条項１１]
前記アウターホースは、０．２から１．０Ｗｍ−１Ｋ−１の間、好ましくはおよそ０．４Ｗｍ−１Ｋ−１の熱伝達率を有する、条項１ないし条項１０のいずれか1項に記載の冷却移送ホース。
[条項１２]
前記繊維質材は、前記アウターホースと前記材料との間の気密層によって囲まれている、条項１ないし条項１１のいずれか1項に記載の冷却移送ホース。
[条項１３]
前記繊維質材はフリース材を具備する、条項１ないし条項１２のいずれか1項に記載の冷却移送ホース。
[条項１４]
前記繊維質材はフリースおよびフェルト材を具備する、条項１ないし条項１３のいずれか1項に記載の冷却移送ホース。
[条項１５]
前記アウターホースは、繊維および／または金属で補強されたゴム弾性および／またはプラスチックの材料を具備する、条項１ないし条項１４のいずれか1項に記載の冷却移送ホース。
[条項１６]
前記インナーホースは、らせん状に巻かれた補強材ワイヤ、および／または波形のスチールパイプを具備する、条項１ないし条項１５のいずれか1項に記載の冷却移送ホース。
[条項１７]
前記インナーおよびアウターホース間の前記圧力は、前記アウターホース外側の前記圧力と実質上等しい、条項１ないし条項１６のいずれか1項に記載の冷却移送ホース。
[条項１８]
前記繊維質材は、前記インナーホースを囲んで巻かれているストリップ状の繊維質シート材を具備する、条項１ないし条項１７のいずれか1項に記載の冷却移送ホース。
[条項１９]
少なくとも１つの気密フィルムおよび前記フィルムに取り付けられている繊維質層を具備する、冷却移送ホースに用いられる繊維質断熱スペーサ材。
[条項２０]
前記フィルムは、前記繊維質材を囲んでいるシリンダを形成するようにシールされている、条項１９に記載の繊維質断熱スペーサ材。
[条項２１]
前記シリンダは、その両端を気密の状態で閉じられており、排出装置を取り付けるためと前記シリンダからの空気を除去するためとの取り付け部材を具備する、条項２０に記載の繊維質断熱スペーサ材。
[条項２２]
前記繊維質材は、前記フィルムと第２のフィルムとの間に具備されており、これらのフィルムは、気密の状態で前記繊維質材を囲むように共にシールされている、条項１９または２０に記載の繊維質断熱スペーサ材。
[条項２３]
閉鎖可能であるエアフロー開口部(a closable airflow opening)は、前記フィルムの少なくとも１つに備えられている、条項１９ないし２２のいずれか１項に記載の繊維質断熱スペーサ材。
[条項２４]
移送ホースを構成する方法であって、
第１のホースを設けるステップと、
前記第１のホースを囲んで繊維質または多孔性の材料を設けるステップと、
前記繊維質または多孔性の材料の周りに気密フィルムを設け、前記第１のホースを囲んで、気密の状態で前記フィルムを設置するステップと、
圧縮によって前記繊維質または多孔性の材料の直径を削減するための前記気密カバーから空気を除去するステップと、
前記第１のホースと、前記圧縮された繊維質または多孔性の材料と、前記繊維質材と、を減圧圧力において前記アウターホースに設置するステップと、
膨張を可能にするために、前記繊維質または多孔性の材料の気圧を高めるステップと、を具備する方法。
[条項２５]
移送ホースを構成する方法であって、
インナーおよびアウターホースと、前記インナーおよびアウターホース間においては圧縮された繊維質または多孔性の材料と、末端部においては接続フランジと、を各々が有する、第１および第２のセグメントを設けるステップと、
前記第１および第２のセグメントの前記接続フランジを相互接続するステップと、
相互接続の後に、前記第１および第２のセグメントにおいて前記繊維質または多孔性の材料の前記気圧を高めるステップと、を具備する方法。
【図１】
0005575834.tif 000002
【図２】
0005575834.tif 000003
【図３】
0005575834.tif 000004
【図４ａ】
0005575834.tif 000005
【図４ｂ】
0005575834.tif 000006
【図４ｃ】
0005575834.tif 000007
【図４ｄ】
0005575834.tif 000008
【図４ｅ】
0005575834.tif 000009
【図４ｆ】
0005575834.tif 000010
【図４ｇ】
0005575834.tif 000011
【図５ａ】
0005575834.tif 000012
【図５ｂ】
0005575834.tif 000013
【図５ｃ】
0005575834.tif 000014
【図６ａ】
0005575834.tif 000015
【図６ｂ】
0005575834.tif 000016
【図７】
0005575834.tif 000017
【図８】
0005575834.tif 000018
【図９】
0005575834.tif 000019
【図１０】
0005575834.tif 000020
【図１１】
0005575834.tif 000021
【図１２ａ】
0005575834.tif 000022
【図１２ｂ】
0005575834.tif 000023
【図１２ｃ】
0005575834.tif 000024
【図１３】
0005575834.tif 000025
【図１４】
0005575834.tif 000026
【図１５】
0005575834.tif 000027
【図１６ａ】
0005575834.tif 000028
【図１６ｂ】
0005575834.tif 000029
【図１７ａ】
0005575834.tif 000030
【図１７ｂ】
0005575834.tif 000031
【図１８ａ】
0005575834.tif 000032
【図１８ｂ】
0005575834.tif 000033
【図１９】
0005575834.tif 000034
【図２０】
0005575834.tif 000035
【図２１】
0005575834.tif 000036
【図２２】
0005575834.tif 000037
【図２３】
0005575834.tif 000038